【手続補正書】
【提出日】平成17年7月26日(2005.7.26)
【手続補正１】
【補正対象書類名】明細書
【補正対象項目名】特許請求の範囲
【補正方法】変更
【補正の内容】
【特許請求の範囲】
【請求項１】
積層された少なくとも第１の情報記録層及び第２の情報記録層を備え、前記第１の情報記録層が前記第２の情報記録層よりも光入射面側に位置している光記録媒体に対し、前記光入射面からレーザビームを照射することによって、それぞれクロック周期の整数倍に対応した互いに長さの異なる複数種類の記録マークからなる群より選ばれた複数の記録マークを形成する情報記録方法であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定することを特徴とする情報記録方法。
【請求項２】
前記少なくとも一つの種類の記録マークが、前記複数種類の記録マークのうち最も長さの長い記録マークを含んでいることを特徴とする請求項１に記載の情報記録方法。
【請求項３】
長さの長い記録マークを形成する場合ほど、前記第１の情報記録層に対して照射する前記レーザビームのパルス数と前記第２の情報記録層に対して照射する前記レーザビームのパルス数との差を大きく設定することを特徴とする請求項２に記載の情報記録方法。
【請求項４】
前記複数種類の記録マークのうち最も長さの短い記録マークが前記クロック周期の２倍に対応し、前記第２の情報記録層に記録マークを形成する場合に、各記録マークを形成するためのパルス数を、それぞれ対応する前記クロック周期の倍数から１を引いて得られる数に設定することを特徴とする請求項１乃至３のいずれか１項に記載の情報記録方法。
【請求項５】
前記複数種類の記録マークのうち最も長さの短い記録マークが前記クロック周期の２倍に対応し、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数に設定し、前記クロック周期の奇数倍に対応する長さの記録マークについてはそれぞれの倍数に１を足して得られる値若しくは１を引いて得られる値を２で除して得られる商に等しい数に設定することを特徴とする請求項１乃至４のいずれか１項に記載の情報記録方法。
【請求項６】
前記複数種類の記録マークのうち最も長さの短い記録マークが前記クロック周期の３倍に対応し、前記第２の情報記録層に記録マークを形成する場合に、各記録マークを形成するためのパルス数を、それぞれ対応する前記クロック周期の倍数から１または２を引いて得られる数に設定することを特徴とする請求項１乃至３のいずれか１項に記載の情報記録方法。
【請求項７】
前記複数種類の記録マークのうち最も長さの短い記録マークが前記クロック周期の３倍に対応し、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数または２で除して得られる商から１を引いた数に設定し、前記クロック周期の奇数倍に対応する長さの記録マークについてはそれぞれの倍数から１を引いて得られる値を２で除して得られる商に等しい数に設定することを特徴とする請求項１乃至３及び６のいずれか１項に記載の情報記録方法。
【請求項８】
前記レーザビームの波長をλとし、前記レーザビームを集光するための対物レンズの開口数をＮＡとした場合に
λ／ＮＡ  ≦  ７００ｎｍ
の条件を満たすことを特徴とする請求項１乃至７のいずれか１項に記載の情報記録方法。
【請求項９】
前記レーザビームの波長λが２００〜４５０ｎｍであることを特徴とする請求項１乃至８のいずれか１項に記載の情報記録方法。
【請求項１０】
積層された少なくとも第１の情報記録層及び第２の情報記録層を備え、前記第１の情報記録層が前記第２の情報記録層よりも光入射面側に位置している光記録媒体に対し、光入射面からレーザビームを照射することによって、それぞれクロック周期の整数倍に対応した互いに長さの異なる複数種類の記録マークからなる群より選ばれた複数の記録マークを形成する情報記録装置であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定することを特徴とする情報記録装置。
【請求項１１】
前記少なくとも一つの種類の記録マークが、前記複数種類の記録マークのうち最も長さの長い記録マークを含んでいることを特徴とする請求項１０に記載の情報記録装置。
【請求項１２】
長さの長い記録マークを形成する場合ほど、前記第１の情報記録層に対して照射する前記レーザビームのパルス数と前記第２の情報記録層に対して照射する前記レーザビームのパルス数との差を大きく設定することを特徴とする請求項１１に記載の情報記録装置。
【請求項１３】
前記複数種類の記録マークのうち最も長さの短い記録マークが前記クロック周期の２倍に対応し、前記第２の情報記録層に記録マークを形成する場合に、各記録マークを形成するためのパルス数を、それぞれ対応する前記クロック周期の倍数から１を引いて得られる数に設定することを特徴とする請求項１０乃至１２のいずれか１項に記載の情報記録装置。
【請求項１４】
前記複数種類の記録マークのうち最も長さの短い記録マークが前記クロック周期の２倍に対応し、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数に設定し、前記クロック周期の奇数倍に対応する長さの記録マークについてはそれぞれの倍数に１を足して得られる値若しくは１を引いて得られる値を２で除して得られる商に等しい数に設定することを特徴とする請求項１０乃至１３のいずれか１項に記載の情報記録装置。
【請求項１５】
前記複数種類の記録マークのうち最も長さの短い記録マークが前記クロック周期の３倍に対応し、前記第２の情報記録層に記録マークを形成する場合に、各記録マークを形成するためのパルス数を、それぞれ対応する前記クロック周期の倍数から１または２を引いて得られる数に設定することを特徴とする請求項１０乃至１２のいずれか１項に記載の情報記録装置。
【請求項１６】
前記複数種類の記録マークのうち最も長さの短い記録マークが前記クロック周期の３倍に対応し、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数または２で除して得られる商から１を引いた数に設定し、前記クロック周期の奇数倍に対応する長さの記録マークについてはそれぞれの倍数から１を引いて得られる値を２で除して得られる商に等しい数に設定することを特徴とする請求項１０乃至１２及び１６のいずれか１項に記載の情報記録装置。
【請求項１７】
前記レーザビームの波長をλとし、前記レーザビームを集光するための対物レンズの開口数をＮＡとした場合に
λ／ＮＡ  ≦  ７００ｎｍ
の条件を満たすことを特徴とする請求項１０乃至１６のいずれか１項の情報記録装置。
【請求項１８】
前記レーザビームの波長λが２００〜４５０ｎｍであることを特徴とする請求項１０乃至１７のいずれか１項に記載の情報記録装置。
【請求項１９】
積層された少なくとも第１の情報記録層及び第２の情報記録層を備えるとともに、前記第１の情報記録層が前記第２の情報記録層よりも光入射面側に位置し、前記光入射面から入射されるレーザビームによって、それぞれクロック周期の整数倍に対応した互いに長さの異なる複数種類の記録マークからなる群より選ばれた複数の記録マークを形成可能な光記録媒体であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定するために必要な設定情報を有していることを特徴とする光記録媒体。
【請求項２０】
前記少なくとも一つの種類の記録マークが、前記複数種類の記録マークのうち最も長さの長い記録マークを含んでいることを特徴とする請求項１９に記載の光記録媒体。
【請求項２１】
前記設定情報が、長さの長い記録マークを形成する場合ほど、前記第１の情報記録層に対して照射する前記レーザビームのパルス数と前記第２の情報記録層に対して照射する前記レーザビームのパルス数との差を大きく設定するために必要な情報を含んでいることを特徴とする請求項２０に記載の光記録媒体。
【請求項２２】
前記複数種類の記録マークのうち最も長さの短い記録マークが前記クロック周期の２倍に対応し、前記設定情報が、前記第２の情報記録層に記録マークを形成する場合に、各記録マークを形成するためのパルス数を、それぞれ対応する前記クロック周期の倍数から１を引いて得られる数に設定するために必要な情報を含んでいることを特徴とする請求項１９乃至２１のいずれか１項に記載の光記録媒体。
【請求項２３】
前記複数種類の記録マークのうち最も長さの短い記録マークが前記クロック周期の２倍に対応し、前記設定情報が、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数に設定し、前記クロック周期の奇数倍に対応する長さの記録マークについてはそれぞれの倍数に１を足して得られる値若しくは１を引いて得られる値を２で除して得られる商に等しい数に設定するために必要な情報を含んでいることを特徴とする請求項１９乃至２２のいずれか１項に記載の光記録媒体。
【請求項２４】
前記複数種類の記録マークのうち最も長さの短い記録マークが前記クロック周期の３倍に対応し、前記設定情報が、前記第２の情報記録層に記録マークを形成する場合に、各記録マークを形成するためのパルス数を、それぞれ対応する前記クロック周期の倍数から１または２を引いて得られる数に設定するために必要な情報を含んでいることを特徴とする請求項１９乃至２１のいずれか１項に記載の光記録媒体。
【請求項２５】
前記複数種類の記録マークのうち最も長さの短い記録マークが前記クロック周期の３倍に対応し、前記設定情報が、前記第１の情報記録層に記録マークを形成する場合に、各記録マークを形成するためのパルス数を、前記クロック周期の偶数倍に対応する長さの記録マークについてはそれぞれの倍数を２で除して得られる商に等しい数または２で除して得られる商から１を引いた数に設定し、前記クロック周期の奇数倍に対応する長さの記録マークについてはそれぞれの倍数から１を引いて得られる値を２で除して得られる商に等しい数に設定するために必要な情報を含んでいることを特徴とする請求項１９乃至２１及び２４のいずれか１項に記載の光記録媒体。
【請求項２６】
前記レーザビームの光路となる光透過層を備え、前記光透過層の厚さが３０〜２００μｍであることを特徴とする請求項１９乃至２５のいずれか１項に記載の光記録媒体。
【手続補正２】
【補正対象書類名】明細書
【補正対象項目名】００１２
【補正方法】変更
【補正の内容】
【００１２】
【課題を解決するための手段】
本発明のかかる目的は、積層された少なくとも第１の情報記録層及び第２の情報記録層を備え、前記第１の情報記録層が前記第２の情報記録層よりも光入射面側に位置している光記録媒体に対し、前記光入射面からレーザビームを照射することによって、それぞれクロック周期の整数倍に対応した互いに長さの異なる複数種類の記録マークからなる群より選ばれた複数の記録マークを形成する情報記録方法であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定することを特徴とする情報記録方法によって達成される。
【手続補正３】
【補正対象書類名】明細書
【補正対象項目名】００１３
【補正方法】削除
【補正の内容】
【手続補正４】
【補正対象書類名】明細書
【補正対象項目名】００２２
【補正方法】変更
【補正の内容】
【００２２】
本発明の前記目的はまた、積層された少なくとも第１の情報記録層及び第２の情報記録層を備え、前記第１の情報記録層が前記第２の情報記録層よりも光入射面側に位置している光記録媒体に対し、光入射面からレーザビームを照射することによって、それぞれクロック周期の整数倍に対応した互いに長さの異なる複数種類の記録マークからなる群より選ばれた複数の記録マークを形成する情報記録装置であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定することを特徴とする情報記録装置によって達成される。
【手続補正５】
【補正対象書類名】明細書
【補正対象項目名】００２３
【補正方法】変更
【補正の内容】
【００２３】
本発明の前記目的はまた、積層された少なくとも第１の情報記録層及び第２の情報記録層を備えるとともに、前記第１の情報記録層が前記第２の情報記録層よりも光入射面側に位置し、前記光入射面から入射されるレーザビームによって、それぞれクロック周期の整数倍に対応した互いに長さの異なる複数種類の記録マークからなる群より選ばれた複数の記録マークを形成可能な光記録媒体であって、前記複数種類の記録マークのうち少なくとも一つの種類の記録マークについて、前記第１の情報記録層に形成する場合に照射する前記レーザビームのパルス数を前記第２の情報記録層に形成する場合に照射する前記レーザビームのパルス数よりも少なく設定するために必要な設定情報を有していることを特徴とする光記録媒体によって達成される。